(57)【特許請求の範囲】
【請求項１】
モータの出力を伝達するギヤーシャフトと、遊星歯車と内歯車で構成され前記ギヤーシャフトの入力を減速させるギヤーユニットと、前記ギヤーユニットの出力を洗濯槽の底部に配設したパルセータに伝達する洗濯シャフトとを備え、前記ギヤーユニットの遊星歯車は、歯部と略円筒状軸部とからなり、外周壁に略放射線状に複数個の凸部を設け高摺動、高潤滑樹脂で成形した前記略円筒状軸部を、インサートして、前記歯部を高強度、高粘度樹脂で成形するように構成した洗濯機の減速装置。
【発明の詳細な説明】
【０００１】
【発明の属する技術分野】
本発明は、洗濯槽内に回転自在に配設したパルセータを駆動する洗濯機の減速装置に関するものである。
【０００２】
【従来の技術】
従来、この種の減速装置を備えた洗濯機は図４に示すように構成していた。以下、その構成について説明する。
【０００３】
図に示すように、洗濯兼脱水槽（洗濯槽）１は、中央底部にパルセータ２を回転自在に配設している。水槽３は洗濯兼脱水槽１を内包し、この水槽３の外底部には基板４を固着し、モータ５、排水弁６、洗濯脱水切換を兼ねた減速装置７などを配設しており、脱水時には、モータ５の回転は、ベルト８を介してプーリー９、１０により減速され、洗濯兼脱水槽１に伝えられる。洗濯時には、減速装置７によりパルセータ２に伝えられる。
【０００４】
減速装置７は、図５に示すように構成しており、モータ５の回転は、Ｖベルト８およびプーリー１０を介してギヤーシャフト１１に伝えられ、洗濯時には、切換クラッチ１２の働きにより、ギヤーシャフト１１に伝えられた回転はギヤーユニット１３を介して、洗濯シャフト１４に伝達される。
【０００５】
ギヤーユニット１３は、遊星歯車１３ａの中央を金属製の軸１５で軸支し、軸１５の両端を第１のガイド１６と第２のガイド１７で回転可能に支持し、外側に遊星歯車１３ａと噛み合う内歯車１３ｂを設けた構成としており、ブレーキホイール１８に内包されている。なお、１９は洗濯兼脱水槽１に連結した脱水シャフトである。
【０００６】
【発明が解決しようとする課題】
このような洗濯機の減速装置においては、洗濯容量の大容量化に伴い、モータトルクが増加することにより、ギヤーシャフト１１、ギヤーユニット１３および洗濯シャフト１４に加わる荷重が増加する。ここで、軸１５は金属製であり、遊星歯車１３ａの内径部と回転摺動している。ギヤーユニット１３に加わる荷重が増加すると、軸１５と遊星歯車１３ａの内径部との回転摺動面に加わる面圧も増加し、遊星歯車１３ａの内径部に摩耗が生じ、軸１５との間のクリアランスが大きくなるため、歯車同士の噛み合わせが薄くなり、歯の先端部に荷重がかかり、歯部が破損しやすくなるという問題を有していた。
【０００７】
また、遊星歯車１３ａを金属で形成しているものもあるが、この場合、コストが高くなったり、金属同士の歯車の噛み合いのため、騒音が大きくなるという問題を有していた。
【０００８】
また、遊星歯車１３ａのモジュールを大きくして強度を補強した場合、ギヤーユニット１３全体が大きくなり、現状のブレーキホイール１８に入らなくなり、ブレーキホイール１８だけでなく、上下の軸受２０、２１を収納した軸受ケース２２、２３も大きくなるため、コストが高くなり、重量が増えるという問題を有していた。
【０００９】
本発明は上記従来の課題を解決するもので、洗濯容量の大容量化に伴い、モータトルクが増加しても遊星歯車が破損し、耐用年数が短くなることなく、大型化したり、コストが高くなったり、重量が増えることもない、音の静かな減速装置を得ることを目的としている。
【００１０】
【課題を解決するための手段】
本発明は上記目的を達成するために、モータの出力を伝達するギヤーシャフトの入力を遊星歯車と内歯車で構成されるギヤーユニットにより減速し、ギヤーユニットの出力を洗濯槽の底部に配設したパルセータに洗濯シャフトを介して伝達するよう構成し、ギヤーユニットの遊星歯車は、歯部と略円筒状軸部とからなり、外周壁に略放射線状に複数個の凸部を設け高摺動、高潤滑樹脂で成形した前記略円筒状軸部を、インサートして、前記歯部を高強度、高粘度樹脂で成形するように構成したものである。
【００１１】
これにより、洗濯容量の大容量化に伴いモータトルクが増加しても、遊星歯車が破損し耐用年数が短くなることなく、大型化したり、コストが高くなったり、重量が増えることもない、音の静かな減速装置を得ることができる。
【００１２】
【発明の実施の形態】
本発明の請求項１に記載の発明は、モータの出力を伝達するギヤーシャフトと、遊星歯車と内歯車で構成され前記ギヤーシャフトの入力を減速させるギヤーユニットと、前記ギヤーユニットの出力を洗濯槽の底部に配設したパルセータに伝達する洗濯シャフトとを備え、前記ギヤーユニットの遊星歯車は、歯部と略円筒状軸部とからなり、外周壁に略放射線状に複数個の凸部を設け高摺動、高潤滑樹脂で成形した前記略円筒状軸部を、インサートして、前記歯部を高強度、高粘度樹脂で成形するように構成したものであり、高強度、高粘度樹脂成形品は伸び、アイゾット衝撃値、せん断強度などが高く、高摺動、高潤滑樹脂成形品は動摩擦係数が小さく摩耗量が小さいため、洗濯容量の大容量化に伴い、モータトルクが増加し、ギヤーユニットに加わる荷重が増加しても、歯部は回転時の衝撃に耐えることができ、かつ、略円筒状軸部は内径部と軸との回転摺動の際に内径部に加わる面圧が増加しても、略円筒状軸部の内径部に摩耗が生じることもなく、また、遊星歯車の歯部と略円筒状軸部とを回転方向およびスラスト方向で確実に一体化することができ、歯部と軸部のがたつきによる摩耗を防止することで、軸との間のクリアランスが大きくなることがないため、歯車同士の噛み合わせが薄くなり、歯の先端部に荷重がかかり、歯部が破損することもなく、耐用年数が短くなることもない。また、遊星歯車を金属製にしたり、モジュールを大きくし強度補強する必要もなくなり、大型化したり、コストが高くなったり、重量が増えることもない音の静かな減速装置を得ることができる。
【００１３】
【実施例】
以下、本発明の実施例について、図面を参照しながら説明する。なお、従来例と同じ構成のものは同一符号を付して説明を省略する。
【００１４】
（実施例１）
図１に示すように、ギヤーシャフト１１は、プーリー１０を固定し、洗濯時にベルト８を介してモータの回転をギヤーユニット２４に入力する。ギヤーユニット２４は、遊星歯車２４ａと内歯車２４ｂとで構成し、ギヤーシャフト１１とギヤケース２５に固定された内歯車２４ｂ間を遊星歯車２４ａが噛み合うことで減速し、遊星歯車２４ａを軸支している第１のガイド２６と第２のガイド２７の内、第１のガイド２６に形成したセレーション部に挿嵌した洗濯シャフト１４に出力され、パルセータ２を回転させている。
【００１５】
ギヤーユニット２４は、図２に示すように、内歯車２４ｂとそれに噛み合う遊星歯車２４ａとで構成し、遊星歯車２４ａを金属製の軸２８で軸支し、軸２８を第１のガイド２６と第２のガイド２７とで軸支している。遊星歯車２４ａの円弧部２４ｃは内歯車２４ｂのつば部２４ｄと摺動し、遊星歯車２４ａの上下方向の位置を規制している。
【００１６】
遊星歯車２４ａは歯部２４ｆと略円筒軸部２４ｅとで構成し、歯部２４ｆは、高強度、高粘度ポリプロピレン樹脂成形品、高強度、高粘度ＡＢＳ樹脂成形品、好ましくは高強度、高粘度ポリアセタール樹脂成形品などの高強度、高粘度樹脂成形品で形成し、略円筒軸部２４ｅは、高摺動、高潤滑ポリプロピレン樹脂成形品、高摺動、高潤滑ＡＢＳ樹脂成形品、好ましくは高摺動、高潤滑ポリアセタール樹脂成形品などの高摺動、高潤滑樹脂成形品で形成している。
【００１７】
また、遊星歯車２４ａは、略円筒軸部２４ｅをインサートして歯部２４ｆを成形し、一体化している。他の構成は従来例と同じである。
【００１８】
上記構成において作用を説明すると、遊星歯車２４ａの歯部２４ｆを高強度、高粘度樹脂成形品で形成し、略円筒軸部２４ｅを高摺動、高潤滑樹脂成形品で形成することで、高強度、高粘度樹脂成形品は伸び、アイゾット衝撃値、せん断強度などが高いため、洗濯容量の大容量化に伴い、モータトルクが増加し、ギヤーユニット２４に加わる荷重が増加しても、遊星歯車２４ａの歯部２４ｆは、高強度、高粘度樹脂成形品で形成されているため、歯車の噛み合い時の衝撃により、歯が破損することはなく、耐用年数が短くなることがない。
【００１９】
また、略円筒軸部２４ｅは、高摺動、高潤滑樹脂成形品で形成されているため、高摺動、高潤滑樹脂成形品は動摩擦係数が小さく、摩耗量が小さく、金属製の軸２８と略円筒軸部２４ｅの内径部２９との回転摺動の際に略円筒軸部２４ｅの内径部２９に加わる面圧が増加しても、略円筒軸部２４ｅの内径部２９に摩耗が生じることもなく、軸２８との間のクリアランスが大きくなることがないため、歯車同士の噛み合わせが薄くなり、歯の先端部に荷重がかかり、歯部２４ｆが破損し、耐用年数が短くなることもない。
【００２０】
さらに、遊星歯車を金属製にしたり、モジュールを大きくし強度補強する必要もなくなり、大型化したり、コストが高くなったり、重量が増えることもない音の静かな減速装置を得ることができる。
【００２１】
また、遊星歯車２４ａの歯部２４ｆを高強度、高粘度ポリアセタール樹脂成形品で形成し、略円筒状軸部２４ｅを高摺動、高潤滑ポリアセタール樹脂成形品で形成することにより、ポリアセタール樹脂は、ばね弾性を有し、自己潤滑性があり、剛性が高いので、高強度、高粘度ポリアセタール樹脂成形品は伸び、アイゾット衝撃値、せん断強度などが一層高くなり、高摺動、高潤滑ポリアセタール樹脂成形品は動摩擦係数、摩耗量を一層小さくできるため、歯部２４ｆは回転時の衝撃に耐えることができ、かつ、略円筒状軸部２４ｅは内径部２９と軸２８との回転摺動の際に略筒状軸部２４ｅの内径部２９に摩耗が生じることもなく、軸２８との間のクリアランスが大きくなることもなくなる。
【００２２】
また、遊星歯車２４ａは、略円筒軸部２４ｅをインサートして歯部２４ｆを成形しているため、歯部２４ｆと略円筒軸部２４ｅとを確実に一体化することができ、歯部２４ｆと略円筒状軸部２４ｅのがたつきによる摩耗を防止することで、耐用年数が短くなることなく、かつ、歯の噛み合いが悪くなることなく、音の静かな減速装置を得ることができる。
【００２３】
（実施例２）
図３に示すように、ギヤーユニットを構成する遊星歯車３０ａの略円筒状軸部３０ｅの外周壁には、スラスト方向（上下方向）の略中央部に略放射線状に複数個の凸部３０ｇを設け、遊星歯車３０ａは、略円筒軸部３０ｅをインサートして歯部３０ｆを成形し、一体化した構成としている。他の構成は上記実施例１と同じである。
【００２４】
上記構成において作用を説明すると、略円筒状軸部３０ｅの外周壁のスラスト方向（上下方向）の略中央部に略放射線状に設けた複数個の凸部３０ｇにより、回転方向およびスラスト方向を確実に一体化することができ、歯部３０ｆと略円筒状軸部３０ｅのがたつきによる歯部３０ｆと略円筒状軸部３０ｅの接触面および軸２８と略円筒状軸部３０ｅの接触面の摩耗を防止することで、耐用年数が短くなることなく、かつ、歯の噛み合いが悪くなることなく、音の静かな減速装置を得るができる。
【００２５】
【発明の効果】
以上のように本発明の請求項１に記載の発明によれば、モータの出力を伝達するギヤーシャフトと、遊星歯車と内歯車で構成され前記ギヤーシャフトの入力を減速させるギヤーユニットと、前記ギヤーユニットの出力を洗濯槽の底部に配設したパルセータに伝達する洗濯シャフトとを備え、前記ギヤーユニットの遊星歯車は、歯部と略円筒状軸部とからなり、外周壁に略放射線状に複数個の凸部を設け高摺動、高潤滑樹脂で成形した前記略円筒状軸部を、インサートして、前記歯部を高強度、高粘度樹脂で成形するように構成したから、高強度、高粘度樹脂成形品は伸び、アイゾット衝撃値、せん断強度などが高く、高摺動、高潤滑樹脂成形品は動摩擦係数が小さく摩耗量が小さいため、洗濯容量の大容量化に伴い、モータトルクが増加し、ギヤーユニットに加わる荷重が増加しても、歯部は回転時の衝撃に耐えることができ、かつ、略円筒状軸部は内径部と軸との回転摺動の際に内径部に加わる面圧が増加しても、略円筒状軸部の内径部に摩耗が生じることもなく、また、遊星歯車の歯部と略円筒状軸部とを回転方向およびスラスト方向で確実に一体化することができ、歯部と軸部のがたつきによる摩耗を防止することで、軸との間のクリアランスが大きくなることがないため、歯車同士の噛み合わせが薄くなり、歯の先端部に荷重がかかり、歯部が破損することもなく、耐用年数が短くなることもない。また、遊星歯車を金属製にしたり、モジュールを大きくし強度補強する必要もなくなり、大型化したり、コストが高くなったり、重量が増えることもない音の静かな減速装置を得ることができる。
【図面の簡単な説明】
【図１】  本発明の第１の実施例の洗濯機の減速装置の断面図
【図２】  同洗濯機の減速装置のギヤーユニットの断面図
【図３】  （ａ）本発明の第２の実施例の洗濯機の減速装置のギヤーユニットを構成する遊星歯車の略円筒状軸部の上面図
（ｂ）同洗濯機の減速装置のギヤーユニットを構成する遊星歯車の略円筒状軸部の断面図
（ｃ）同洗濯機の減速装置のギヤーユニットを構成する遊星歯車の断面図
【図４】  従来の洗濯機の減速装置を備えた洗濯機の断面図
【図５】  同洗濯機の減速装置の断面図
【符号の説明】
１  洗濯兼脱水槽（洗濯槽）
２  パルセータ
１１  ギヤーシャフト
１４  洗濯シャフト
２４  ギヤーユニット
２４ａ  遊星歯車
２４ｂ  内歯車
２４ｅ  略円筒状軸部
２４ｆ  歯部
【図１】
0003669178.tif 000002
【図２】
0003669178.tif 000003
【図３】
0003669178.tif 000004
【図４】
0003669178.tif 000005
【図５】
0003669178.tif 000006